(57)【要約】      （修正有）【課題】浴槽内に気泡を発生させる装置において、頭部等にも気泡の含む水を掛けることができる気泡発生装置を提供する。【解決手段】気泡発生装置１は、吸入口７を持つ吸入パイプ６と、この吸入パイプ６を介して水を吸引するポンプ４と、吸引した水に空気を溶解せしめる溶解タンク５と、この溶解タンク５に接続され、空気の溶解水を送り出し、その途中に気泡を発生させる気泡発生器１３を設け、先端に気泡を噴射する噴射口１２を有する吐出パイプ１１とより成っている。それから、前記吐出パイプ１１の途中に分岐手段１５を設け、この分岐手段１５から伸びる分岐パイプ１６に気泡発生器２８とシャワーヘッド２９を接続している。【選択図】図１
0003136376.tif 000002
【実用新案登録請求の範囲】
【請求項１】
吸入口を持つ吸入パイプと、この吸入パイプを介して水を吸引するポンプと、吸引した水に空気を溶解せしめる溶解タンクと、この溶解タンクに接続され、空気の溶解した水を送り出し、その途中に気泡を発生させる気泡発生器を設け、先端に気泡を噴射する噴射口を設けた吐出パイプとを備えた気泡発生装置において、
前記吐出パイプの途中に分岐手段を設け、この分岐手段から伸びる分岐パイプに気泡発生器と、その先端にシャワーヘッドを接続したことを特徴とする気泡発生装置。
【請求項２】
前記分岐手段は、切り替えコックを備え、噴射口とシャワーヘッドとの水の切り替えを可能としたことを特徴とする請求項１記載の気泡発生装置。
【請求項３】
前記分岐手段は、吐出パイプの途中にあり、一対の継手により取り付けられることを特徴とする請求項１又は２記載の気泡発生装置。
【請求項４】
前記分岐手段は、分岐パイプとは継手にて接続されていることを特徴とする請求項１，２又は３記載の気泡発生装置。
【請求項５】
前記吸入パイプは、継手により取り外し自在としたことを特徴とする請求項１記載の気泡発生装置。
【請求項６】
前記吐出パイプは、前記分岐手段の継手により、取り外し自在としたことを特徴とする請求項３記載の気泡発生装置。
【請求項７】
前記継手は、ワンタッチ式の継手を用いたことを特徴とする請求項３，４，５又は６記載の気泡発生装置。
【考案の詳細な説明】
【技術分野】
【０００１】
この考案は、気泡を発生させる装置に関する。
【背景技術】
【０００２】
特に浴槽内に微細な気泡を発生させる装置は、種々開発されている。例えば、公知装置は、特許文献１に示すように、浴槽等の水を吸入する吸入口３を備えた吸入パイプ２と、吸入口より吸入した水に空気を溶解せしめる溶解タンク１２と、この空気が溶解された水から気泡を生じさせる気泡発生器７とを備え、吐出パイプ２の先端に取り付けられた噴射口４より気泡を浴槽内に噴出せしめていた。
【特許文献１】特開２００６−２３９５７３
【考案の開示】
【考案が解決しようとする課題】
【０００３】
前述のような特許文献１に示す気泡発生装置にあっては、浴槽内に気泡を発生させて、湯槽に入っている人の胴を活性化させる働きをするが、湯の中に入らなければ効果が表れないため、頭部や顔に気泡の効果を与えることができず、不便であった。
【０００４】
そこで、この考案は頭部にもまた顔面等にも、気泡の効果を与えることができる気泡発生装置を提供することを課題とする。
【課題を解決するための手段】
【０００５】
この考案に係る気泡発生装置は、吸入口を持つ吸入パイプと、この吸入パイプを介して水を吸引するポンプと、吸引した水に空気を溶解せしめる溶解タンクと、この溶解タンクに接続され、空気の溶解した水を送り出し、その途中に気泡を発生させる気泡発生器を設け、先端に気泡を噴射する噴射口を設けた吐出パイプとを備えた気泡発生装置において、前記吐出パイプの途中に分岐手段を設け、この分岐手段から伸びる分岐パイプに気泡発生器と、その先端にシャワーヘッドを接続したことにあります（請求項１）。
【０００６】
これにより、シャワーヘッドから気泡を含む水（温められていれば湯となっている）を噴出することができ、頭部に、顔面にまた体に掛けることができ、新たなる使用方法から頭部等に気泡の効能を与えることができる。
【０００７】
前記分岐手段は、切り替えコックを備えることが好ましく、噴射口とシャワーヘッドとの水の切り替えを可能にしている（請求項２）。これにより、頭部や顔のみならず体にも気泡水を掛けるために、切り替えコックの切り替えにより充分な水量を供給することができる。
【０００８】
また、前記分岐手段は、吐出パイプの途中にあり、一対の継手により取り付けられることが好ましく（請求項３）、また分岐手段と接続の分岐パイプも継手により接続されることが好ましく（請求項４）、吐出パイプのみならず分岐パイプも継手により簡単に取り付け、取り外しを可能としている（請求項４，６）。さらに、前記吸入パイプも継手により取り付け、取り外しが自在となることが好ましい（請求項５）。さらにまた、前記継手として、ワンタッチ式の継手が用いられ（請求項７）、取り付け、取り外しが容易である。
【考案の効果】
【０００９】
以上のように、この考案によれば、気泡を含む水を必要とする頭部、顔、体に掛けることができる利点を持ち、気泡の効果を今まで与えられない所まで至らすことができる（請求項１）。
【００１０】
また分岐手段は、切り替えコックを有するから、頭部や顔に気泡水を掛けるために、コックの切り替えにより充分な水量を得ることができる（請求項２）。この分岐手段は、吐出パイプの途中にあり、一対の継手により取り付けられ、また吸入パイプも継手により取り付け、取り外しを可能としている（請求項３，５，６）。またこの分岐手段に分岐パイプが継手により接続されている（請求項４）。即ち、吐出パイプ、吸入パイプのみならず分岐パイプは、メンテナンス（風呂掃除等）時を考え、着脱自在となっている。
【考案を実施するための最良の形態】
【００１１】
以下、この考案の実施例を図面にもとづき説明する。
【００１２】
図１は気泡発生装置１を斜視図として示し、図２はこの考案の要部を拡大して示したものである。気泡発生装置１は、例えば設置される所は浴槽の縁等に設けられ、基部２が図示しないが載置台上に取り付けられている。この基部２にはカバー３が設けられ、下記する内部部品が見えなくなっている。
【００１３】
気泡発生装置１のカバー内部には、ポンプ４と溶解タンク５が設けられ、該ポンプ４には、基部２の下方に垂下する樹脂製の吸入パイプ６が接続され、該吸入パイプ６の先端の吸入口７より浴槽内の水（湯）を吸込んでいる。そして吸込んだ水は加圧され、溶解タンク５内に送られる。なお吸入パイプ６の先端付近にフィルタ８が設けられ、浴槽の水に含まれるゴミを吸込まないようにしている。
【００１４】
溶解タンク５は、吸込まれた水に空気取入口１０から取り入れた空気を溶解せしめる装置で、空気を加圧することで行われる公知の構造である。この溶解タンク５からは空気を溶解する水を送り出し、樹脂型の吐出パイプ１１を介して噴射口１２より浴槽に噴射される。
【００１５】
吐出パイプ１１は、先端に噴射口１２と、その手前に空気を溶解した水から気泡を発生させる気泡発生器１３とを配しており、該気泡発生器１３から気泡を生じさせ、噴射口１２より噴射しているが、図示しないが、その構造は円板に複数の孔を穿設し、これを絞りとし、この絞りを通過する際に減圧され、水に溶解の空気が分離され、しかも図示しないが金属メッシュ等を通過することで微細化気泡が発生される。
【００１６】
分岐ユニット１５は、前記吐出パイプ１１に設けられ、分岐ホース１６を前記吐出パイプ１１に分岐して取り付けるためのもので、吐出パイプ１１に流れる空気を溶解した水が分岐ホース１６側に導かれる。そのため、分岐ユニット１５には、切り替えコック２３が設けられ、前記噴射口１２と分岐ホース１６とに選択的に接続させている。また、この分岐ユニット１５は前記吐出パイプ１１に対しては着脱自在に設けられることが好ましく、上下方向に一対の継手１７，１８を持って吐出パイプ１１に取り付けられている。
【００１７】
継手１７は、溶解タンク側の吐出パイプ１１にニップル１９が、分岐ユニット１５側に継手本体２０が設けられ、着脱自在となっている。なお、その構造は公知であり、説明しない。
【００１８】
継手１８は、前記分岐ユニット１５側にニップル２１が、吐出パイプ１１側に継手本体２２が設けられ、着脱自在となっている。
【００１９】
また、分岐ホース１６も前記分岐ユニット１５に着脱自在に設けられることが好ましく、継手２４を持って分岐ユニット１５に取り付けられている。
【００２０】
継手２４は、前記分岐ユニット１５側にニップル２５が、分岐ホース１６側に継手本体２６が設けられて成り、着脱自在となっている。
【００２１】
前記分岐ホース１６の途中に空気を溶解した水から気泡を発生させる気泡発生装器２８を配しており、該気泡発生器２８から気泡を生じさせる。この気泡発生器２８は前述した吐出パイプ１１に設けられた気泡発生器２８と同一構造が採用されている。
【００２２】
そして、分岐ホース１６の先端には、シャワーヘッド２９が設けられ、該シャワーヘッド２９を介して気泡を含む水を流出させることができる。このため、このシャワーヘッド２９を用いれば、頭部や体に掛けることができる。
【００２３】
なお、前記吸入パイプ６も、継手３１が取り付けられることが好ましく、ポンプ側にニップル３２が、吸入口７側に継手本体３３が設けられている。
【図面の簡単な説明】
【００２４】
【図１】この考案の実施例を示す斜視図である。
【図２】同上要部の拡大図である。
【符号の説明】
【００２５】
１  気泡発生装置
４  ポンプ
５  溶解タンク
７  吸入口
１０  空気取入口
１１  吐出パイプ
１２  噴射口
１３  気泡発生器
１５  分岐ユニット
１６  分岐ホース
１７  継手
１８  継手
２４  継手
２８  気泡発生器
２９  シャワーヘッド
３１  継手
【図１】
0003136376.tif 000003
【図２】
0003136376.tif 000004